(57)【特許請求の範囲】
【請求項１】
略直方体形をなし上方に向け相手コネクタの受入れのための受入凹部が開口されたハウジングで複数の端子が保持され、該端子が回路基板に半田接続される接続部を有するとともに、該ハウジングに金属板製のシールド板が取り付けられた電気コネクタにおいて、
シールド板は、一部材として形成されていて、上記受入凹部を囲むようにしてハウジングの外周面に取り付けられ、ハウジングの長手方向に延びる該ハウジングの側壁面に沿う平板状の側板部と、上記側壁面に対して直角方向に位置するハウジングの端壁面に沿う平板状の端板部と、上記長手方向でハウジングの両端部上面位置で上記側板部同士を連結する連結部とを有し、上記端板部は上記側板部の上記長手方向での端部位置で屈曲しており、上記連結部はハウジングの上面に平行な平坦板面をなす帯状をなし、上記端板部は該端板部の上縁と連結部の一方の側縁と近接しており、
上記側板部は、上記長手方向に配列された複数の端子の配列範囲の両外側に、該側板部の下縁から延出して回路基板に半田接続されるグランド脚部を上記端子の接続部と同列に位置するように有し、
さらに上記側板部の下縁部には、上記長手方向でグランド脚部よりも外側となる両端位置で切欠状の係止部が下縁に開口しており、ハウジングの側壁面には、上記長手方向で上記シールド板の係止部に対応する位置に突出する被係止部が設けられているとともに、ハウジングの側壁面にはハウジング側壁面から突出する被係止部が上記長手方向でハウジングの端壁の厚み範囲に該被係止部の少なくとも一部が位置するように設けられていて、シールド板が上方からハウジングの外周部に対して装着された状態で、上記係止部がハウジングの被係止部に嵌合係止していることを特徴とするシールド板付電気コネクタ。
【請求項２】
端板部は、側板部の両端位置で該側板部に対して屈曲していて、側板部と相俟って略Ｕ字状の平面形状をなし、ハウジングの端壁面の中間位置で自由端を有していることとする請求項１に記載のシールド板付電気コネクタ。
【請求項３】
端板部は、ハウジングの長手方向にて、連結部と対応する範囲内に位置していることとする請求項１または請求項２に記載のシールド板付電気コネクタ。
【発明の詳細な説明】
【技術分野】
【０００１】
本発明は、シールド板付電気コネクタに関する。
【背景技術】
【０００２】
略直方体のハウジングの外周面に金属板製のシールド板が取り付けられている電気コネクタとしては、特許文献１に開示されているものが知られている。特許文献１では、ハウジングに取り付けられるシールド板は、長手方向に延びるハウジングの側壁面に面して位置する側板部と、該側板部に対して屈曲されていてハウジングの長手方向端部の上面位置で、対向する側板部同士を連結する連結部と、該連結部からハウジングの端壁面に向け屈曲されて該端壁面に面する端板部とを有している。連結部と端板部とは互いにＬ字状断面をなしてつながっていて、互いに補強し合っている。ハウジングの上面の四隅には、上方に向けた凸部が設けられていて、該凸部はハウジングの側壁面からもそして端壁面からも突出していてシールド板に対しての係止部を形成している。上記長手方向での側板部の端部の上縁がこの係止部の突出下縁に係止している。この側板部の端部は、シールド板を上方からハウジングに装着する際に、上記凸部に当接してハウジングの側壁面から離れるように一時的に弾性変形して、装着完了時にその弾性変形が解除されて、上記係止部の突出下縁と係止して、上方に向けたシールドの外れが阻止されるようになっている。
【先行技術文献】
【特許文献】
【０００３】
【特許文献１】特許第４５９４７０６号
【発明の概要】
【発明が解決しようとする課題】
【０００４】
しかしながら、特許文献１のシールド板にあっては、連結部と端板部が該端板部の全長にわたり、Ｌ字状断面をなして上述のごとく互いに補強し合っているので、シールド板の装着の際、上記側板部の端部が弾性変形のために撓める腕長は平板状の該側板部の端部の高さ分しかなく短い。したがって、この側板部の端部は腕長が短く撓みにくいので、該側板部の端部が弾性変形して係止部を乗り越えるには、シールド板を強力に押し下げねばならない。これはハウジングの係止部に対して局部的に大きな応力を与えることとなり、係止部の破損にもつながる。
【０００５】
さらには、端板部が連結部からＬ字状で断面をなすように屈曲形成されているので、屈曲加工に要する曲げ半径分だけ、端板部が連結部に対してハウジングの長手方向外方に位置することとなり、同方向でのシールド板の大型化、ひいてはコネクタの大型化につながる。
【０００６】
本発明は、かかる事情に鑑み、ハウジングへの装着時に大きな応力を生じることなく、また、大型化することもないシールド板を有する電気コネクタを提供することを課題とする。
【課題を解決するための手段】
【０００７】
本発明に係るシールド板付電気コネクタは、略直方体形をなし上方に向け相手コネクタの受入れのための受入凹部が開口されたハウジングで複数の端子が保持され、該端子が回路基板に半田接続される接続部を有するとともに、該ハウジングに金属板製のシールド板が取り付けられている。
【０００８】
かかる電気コネクタにおいて、本発明では、シールド板は、一部材として形成されていて、上記受入凹部を囲むようにしてハウジングの外周面に取り付けられ、ハウジングの長手方向に延びる該ハウジングの側壁面に沿う平板状の側板部と、上記側壁面に対して直角方向に位置するハウジングの端壁面に沿う平板状の端板部と、上記長手方向でハウジングの両端部上面位置で上記側板部同士を連結する連結部とを有し、上記端板部は上記側板部の上記長手方向での端部位置で屈曲しており、上記連結部はハウジングの上面に平行な平坦板面をなす帯状をなし、上記端板部は該端板部の上縁と連結部の一方の側縁と近接しており、上記側板部は、上記長手方向に配列された複数の端子の配列範囲の両外側に、該側板部の下縁から延出して回路基板に半田接続されるグランド脚部を上記端子の接続部と同列に位置するように有し、さらに上記側板部の下縁部には、上記長手方向でグランド脚部よりも外側となる両端位置で切欠状の係止部が下縁に開口しており、ハウジングの側壁面には、上記長手方向で上記シールド板の係止部に対応する位置に突出する被係止部が設けられているとともに、ハウジングの側壁面にはハウジング側壁面から突出する被係止部が上記長手方向でハウジングの端壁の厚み範囲に該被係止部の少なくとも一部が位置するように設けられていて、シールド板が上方からハウジングの外周部に対して装着された状態で、上記係止部がハウジングの被係止部に嵌合係止していることを特徴としている。
【０００９】
本発明では、シールド板は、側板部の下縁に形成された係止部がハウジングの被係止部に嵌合係止することにより、ハウジングの外周部に対して上方から装着される。したがって、ハウジングにおいて、従来のように側板部の上縁との係止のための係止用凸部をハウジングの側壁面から突出させて形成する必要がないので、シールド板の装着の際に、該シールド板の側板部が上記凸部を乗り越えるために撓み変形することはない。
【００１０】
仮にシールド板とハウジングとの間に相対的製造寸法誤差があったとしても、連結部と側板部との間の屈曲部分で対向側板部の下端同士が上記寸法誤差分だけ若干開く程度に弾性変形するのみであり、従来のように上記係止用凸部を乗り越えるような大きな撓みではない。また、端板部と連結部とは隙間をもって分離されているので、従来のように該連結部が端板部との間の屈曲部分により補強されている場合と比較して、屈曲部分を伴っていない平板状の連結部自体が撓みやすくなっており、その全長にわたり上記側板部の板厚方向での撓みに寄与する。さらに、連結部と側板部との間の屈曲部分は撓み方向に抗する形状ではないことに加え、その幅が狭いので、側板部はその板厚方向に容易に撓む。したがって、シールド板の装着の際にハウジングの被係止部に大きな応力が生じることがなく、該被係止部の破損が防止される。
【００１１】
また、上記端板部は該端板部の上縁と連結部の一方の側縁と近接しているので、ハウジングの長手方向でシールド板が大型化することがなく、ひいては同方向でコネクタが大型化することもない。
【００１２】
本発明において、端板部は、側板部の両端位置で該側板部に対して屈曲していて、側板部と相俟って略Ｕ字状の平面形状をなし、ハウジングの端壁面の中間位置で自由端を有していることが好ましい。
【００１３】
本発明において、端板部は、ハウジングの長手方向にて、連結部と対応する範囲内に位置していることが好ましい。端板部が連結部と対応する範囲内に位置することにより、ハウジングの長手方向でのシールド板の小型化、ひいてはコネクタの小型化を図ることができる。
【発明の効果】
【００１４】
本発明は、以上のように、シールド板は、側板部、端板部、連結部が平板状で、従来のようなハウジングの係止用凸部を乗り越えるような撓み変形がないので、ハウジングに対してシールド板を容易に装着そして係止できる。また、シールド板とハウジングとの間に相対的製造寸法誤差があっても、連結部は端板部と分離されているので、帯状の連結部がその全長にわたり平板状の側板部のその板厚方向での撓みに寄与し、側板部下端同士は容易に開きハウジングへの装着がきわめて容易となる。したがって、シールド板の装着の際にハウジングの被係止部に大きな応力が生じることはなく、該被係止部の破損を防止できる。
【００１５】
また、本発明では、端板部が該端板部の上縁と連結部の一方の側縁と近接しているので、ハウジングの長手方向でシールド板が大型化することがなく、ひいては同方向でコネクタが大型化することもない。
【図面の簡単な説明】
【００１６】
【図１】本発明の実施形態に係る電気コネクタの斜視図であり、シールド板とコネクタ本体とが分離した状態を示している。
【図２】金属板材を打抜き加工そして屈曲加工して得られるシールド板の屈曲加工前の状態の半完成品としての板状素材の斜視図である。
【図３】図１の電気コネクタと相手コネクタとの嵌合状態の断面図であり、ハウジングの長手方向におけるシールド板のグランド腕部の位置での断面を示している。
【発明を実施するための形態】
【００１７】
以下、添付図面にもとづいて本発明の実施形態を説明する。
【００１８】
図１は、本実施形態に係る電気コネクタの斜視図であり、シールド板とコネクタ本体とが分離した状態を示している。本実施形態に係るコネクタ１は、回路基板に取り付けられるコネクタであり、図１に見られるように、コネクタ本体２と該コネクタ本体２に装着されるシールド板３０とを有している。該コネクタ本体２は、電気絶縁材料から作られ略直方体外形をもつハウジング１０と、該ハウジング１０により二列をなして保持されている金属製の複数の端子２０とを有している。
【００１９】
ハウジング１０は、端子配列方向を長手方向としていて、該長手方向に延びる一対の側壁１１と、これらの側壁１１を端部同士で連結し上記長手方向に対して直角な短手方向に延びる端壁１２とを有していて両者で周壁１３を形成している。上記側壁１１は平坦な側壁面１１Ａを、そして端壁１２は上記短手方向での中央部に溝部１２Ａ−１が形成された端壁面１２Ａをそれぞれの外面として形成している。上記周壁１３の内部には、上記長手方向に延びる嵌合凸部１４が設けられていて、上記周壁１３の内周面と該嵌合凸部１４の外周面との間の環状空間が、相手コネクタ４（図３参照）の被嵌合部を受け入れるための受入凹部１５を形成している。
【００２０】
上記側壁１１の内側面には、複数の端子２０を保持するための端子保持部１６が上記長手方向で配列形成されている。該端子保持部１６は、側壁１１の上部では上下方向に貫通する孔部として形成されるとともに、該孔部よりも下方に位置する上記側壁１１の内側面では上下方向に延びる溝部として形成されている。また、上記側壁１１の内側面に対向する上記嵌合凸部１４の側面には、後述の端子２０の弾性腕部を弾性変位可能に収容するための収容溝部１６Ａが上記側面で上下方向全域にわたって延びている。
【００２１】
また、上記長手方向での側壁１１の両端寄り位置、換言すると、上記長手方向での上記嵌合凸部１４の範囲外の位置には、後述するシールド板３０のグランド腕部３１Ａを弾性変位可能に収容するための収容溝部１７が、上記側壁１１の内側面に形成されている（図３参照）。
【００２２】
上記周壁１３は、該周壁１３の四隅の下端部で側壁１１の側壁面１１Ａおよび端壁１２の端壁面１２Ａから突出する突出部１８が形成されており、該突出部１８のうち上記側壁１１の側壁面から突出している部分には上方へ延びる被係止部１９が形成されている。該被係止部１９は、上方から見て略Ｔ字状をなしており、上記側壁面１１Ａに連結されたくびれ部１９Ａと、ハウジング１０の短手方向での該くびれ部１９Ａの端部（上記側壁面１１Ａから離れて位置する端部）から上記長手方向に張り出した張出部１９Ｂとを有している。後述するように、該被係止部１９は、シールド板３０の係止部３１Ｂが上方から上記くびれ部１９Ａに嵌合されるようになっている。また、上記突出部１８は、上記被係止部１９が形成されている部分を除いた部分の上端面１８Ａで、後述のシールド板３０の端板部３２の下端に近接するようになっている。
【００２３】
上記長手方向で配列された複数の端子２０は、信号端子２０Ａとグランド端子２０Ｂとを有している。該グランド端子２０Ｂは、後述するシールド板３０の幅狭グランド脚部３１Ｃ−２に対応するそれぞれの位置で、該グランド脚部３１を上記長手方向で挟んで位置するように二つずつ設けられている。上記信号端子２０Ａとグランド端子２０Ｂとは、同一形状をなしているので、以下、特に信号端子２０Ａとグランド端子２０Ｂとを区別する必要がないときは、これらを単に「端子２０」と総称する。
【００２４】
端子２０は、金属板の平坦な板面を維持したまま該金属板を打ち抜いて作られており、ハウジング１０の側壁１１の内側面に沿って上下方向に延びる直状部（図示せず）と、該直状部の下端からハウジング外へ延びる接続部２１と、上記直状部から嵌合凸部１４側に分枝して延びる弾性腕部（図示せず）とを有している。
【００２５】
上記直状部は、端子保持部１６として上記側壁１１の内側面に形成された溝部および孔部に収容されており、該直状部の上部が上記孔部に下方から圧入されて保持されている。上記接続部２１は、上記側壁１１よりも下方位置で上記直状部の下端からハウジング１０の短手方向での外方へ向けて延びていて、回路基板（図示せず）の対応回路部に半田接続される。また、上記弾性腕部は、上記直状部の上下方向中間位置で上記短手方向での内方（嵌合凸部１４側）へ向けて延びてから嵌合凸部１４の側面に沿って上方へ向けて延びている。この上方へ向けて延びる部分は、上記嵌合凸部１４の側面に形成された収容溝部１６Ａに収容されており、その上端（自由端）には相手コネクタ４（図３参照）の端子と弾性接触する接触部２２が側壁１１側へ向けて該収容溝部１６Ａから突出している。
【００２６】
シールド板３０は、図２にもとづいて後述するように、金属板を打抜き加工および屈曲加工により一部材として形成されていて、ハウジング１０の受入凹部１５を囲むようにしてハウジング１０の周壁１３の外周面に取り付けられる。該シールド板３０は、ハウジング１０の側壁１１の側壁面１１Ａに沿って該側壁面１１Ａを覆う平板状の側板部３１と、ハウジング１０の端壁１２の端壁面１２Ａに沿って該端壁面１２Ａを覆う平板状の端板部３２と、平坦板面をなす帯状に形成されハウジング１０の長手方向で上記端壁１２の上面位置で上記側板部３１同士を連結する連結部３３とを有している。
【００２７】
側板部３１は、上記長手方向での両端寄り位置にて、該側板部３１の上縁でハウジング１０の短手方向内方かつ下方へ向けて屈曲された可撓なグランド腕部３１Ａが、連結部３３に隣接して形成されている。該グランド腕部３１Ａは、後述の相手コネクタ４（図３参照）との嵌合状態にて、該相手コネクタ４のグランド端子５０と弾性接触する。また、該側板部３１の下縁部には、上記長手方向での両端位置で切り欠かれて下方へ開口する溝状の係止部３１Ｂが形成されている。該係止部３１Ｂは、シールド板３０がハウジング１０の外周部に装着されたときに該ハウジング１０の被係止部１９のくびれ部１９Ａへ上方から嵌合係止し、張出部１９Ｂでハウジング１０の側壁面１１Ａからの浮き上がりが防止されるようになっている。
【００２８】
また、上記側板部３１は、該側板部３１の下縁から下方へ向けて延びてから上記短手方向での外方へ向けて屈曲された複数のグランド脚部３１Ｃが、上記長手方向で所定間隔をもって形成されている。該グランド脚部３１Ｃは、回路基板の対応回路部としてのグランド回路部に半田接続されるようになっている。
【００２９】
図１に示されるように、本実施形態では、上記複数のグランド脚部３１Ｃのうち、上記長手方向での両端に位置する幅広グランド脚部３１Ｃ−１は、上記係止部３１Ｂより内方に位置し、他のグランド脚部である幅狭グランド脚部３１Ｃ−２よりも幅が広く形成されている。この幅広グランド脚部３１Ｃ−１は、シールド板３０がコネクタ本体２に装着された状態にて、上記長手方向で両端に位置する信号端子２０Ａと上記ハウジング１０の被係止部１９との間に位置する。一方、上記幅狭グランド脚部３１Ｃ−２は、シールド板３０がコネクタ本体２に装着された状態にて、該幅狭グランド脚部３１Ｃ−２のそれぞれに対応して位置する二つのグランド端子２０Ｂの間に位置する。
【００３０】
端板部３２は、上記側板部３１の上記長手方向での両端位置で該側板部３１に対して直角に屈曲して形成されていて、該側板部３１と相俟って、上下方向に見て略Ｕ字状の平面形状をなしている。また、上記長手方向での各端部に位置する二つの端板部３２は、ハウジング１０の端壁面１２Ａのうち上記短手方向で溝部１２Ａ−１の両側に位置する面を覆っている。つまり、該二つの端板部３２の互いに対向して上下方向に延びる自由端同士間には上記溝部１２Ａ−１と同幅の間隔が形成されている。また、該端板部３２は、該端板部３２の上縁が、上記短手方向に延びる連結部３３の二つの側縁のうち上記長手方向で外側に位置する側縁と若干の隙間をもって近接している。
【００３１】
また、本実施形態では、上記端板部３２は、上記長手方向で連結部３３に対応する範囲内に位置している。したがって、その分、上記長手方向でのシールド板３０の小型化、ひいてはコネクタ１の小型化を図ることができる。
【００３２】
次に、図２にもとづいてシールド板３０の製造手順を説明する。図２は、金属板材を打抜き加工そして屈曲加工して得られるシールド板の屈曲加工前の状態の半完成品としての板状素材の斜視図である。図２では、シールド板３０の各部に対応する部分を、図１に示される各部の符号に「’」を付した符号で示している。また、この図２では、板状素材の屈曲加工の屈曲位置を屈曲線IないしIVを一点鎖線で示している。
【００３３】
まず、金属板材を打ち抜いて図２に見られる形状の板状素材３０’を得る。次に、該板状素材３０’を、屈曲線I，II，III，IVの順にそれぞれの位置で屈曲する。すなわち、まず、側板部３１’の短手方向でのグランド脚部３１Ｃ’の中間部を該側板部３１’の長手方向に延びる屈曲線Iで直角に屈曲することにより、図１のグランド脚部３１Ｃを得る。次に、上記短手方向でのグランド腕部３１Ａ’の中間部を上記長手方向に延びる屈曲線IIで折り返すように屈曲することにより、図１のグランド腕部３１Ａを得る。
【００３４】
さらに、上記長手方向での端板部３２’と側板部３１’との境界部分を上記短手方向に延びる屈曲線IIIで直角に屈曲することにより、図１の端板部３２を得る。そして、上記短手方向での連結部３３’と側板部３１’との境界部分を上記長手方向に延びる屈曲線IVで直角に屈曲することにより、図１の連結部３３を得る。このように板状素材３０’を屈曲加工することにより、図１に示されるシールド板３０が完成する。本実施形態では、板状素材３０’を屈曲線I，II，III，IVの順にそれぞれの位置で屈曲することとしたが、この順序は必須ではなく、必要に応じて入れ替えてもよい。
【００３５】
次に、図１にもとづいてコネクタ１の組立てについて説明する。まず、端子２０をハウジング１０の端子保持部１６へ下方から圧入して該ハウジング１０に取り付けて、コネクタ本体２を得る。次に、図１に見られるように、シールド板３０をコネクタ本体２の上方に位置させてから、該シールド板３０を下方へ移動させてコネクタ本体２に対して上方からもたらし（図１の矢印）、ハウジング１０の外周部に対して装着することによりコネクタ１が完成する。該シールド板３０が装着されると、シールド板３０のグランド腕部３１Ａは、ハウジング１０の収容溝部１７内に収容される。また、該シールド板３０の端板部３２の下端縁がハウジング１０の突出部１８の上面に当接するとともに、シールド板３０の側板部３１に形成された溝状の係止部３１Ｂ内に上記ハウジング１０の被係止部１９のくびれ部１９Ａが下方から嵌まり込み、該係止部３１Ｂと被係止部１９とが互いに嵌合係止する。また、板部該被係止部１９の張出部１９Ｂによりハウジング１０の側壁面１１Ａからの上記側板部３１の浮き上がりが防止される。
【００３６】
本実施形態では、上述したように、上記シールド板３０の係止部３１Ｂとハウジング１０の被係止部１９とが嵌合係止する構成となっている。したがって、ハウジング１０において、従来のように側板部の上縁との係止のための係止用凸部をハウジングの側壁面から突出させて形成する必要がないので、シールド板の装着の際に、該シールド板の側板部が上記凸部を乗り越えるために撓み変形することはない。
【００３７】
仮に、シールド板３０とハウジング１０との間に相対的製造寸法誤差があったとしても、連結部３３と側板部３１との間の屈曲部分で対向側板部３１の下端同士が上記寸法誤差分だけ若干開く程度に弾性変形するのみであり、従来のようにハウジングの係止用凸部を乗り越えるような大きな撓みではない。また、端板部３２と連結部３３とは隙間をもって分離されているので、従来のように該連結部３３が端板部３２との間の屈曲部分により補強されている場合と比較して、屈曲部分を伴っていない平帯状の該連結部３３自体がその全長にわたり板厚方向で撓みやすくなっている。さらに、平帯状をなす連結部３３は、連結部３３と側板部３１との間の屈曲部分は撓み方向に抗する形状ではないことに加え、その幅が狭く形成されているので、その分、撓みやすさが向上している。この結果、側板部３１はその板厚方向に容易に撓むことができるので、上記シールド板３０のハウジング１０への装着がきわめて容易となる。したがって、本実施形態では、シールド板３０の装着の際にハウジング１０の被係止部１９に大きな応力が生じることがなく、該被係止部１９の破損が防止される。
【００３８】
次に、図３にもとづいて、相手コネクタ４の構成を説明する。図３は、図１のコネクタ１と相手コネクタ４との嵌合状態の断面図であり、ハウジング１０の長手方向（図３にて紙面に対して直角な方向）におけるシールド板３０のグランド腕部３１Ａの位置での断面を示している。相手コネクタ４は、回路基板に取り付けられるコネクタであり、電気絶縁材料から作られ略直方体外形をもつハウジング４０と、該ハウジング４０の長手方向で該ハウジング４０により二列をなして保持されている金属製の複数の端子を有している。該端子は、後述するように信号端子とグランド端子とを有している。
【００３９】
上記ハウジング４０は、上記長手方向に延びる一対の側壁（図示せず）と、これらの側壁を端部同士で連結し上記長手方向に対して直角な短手方向（図３にて左右方向）に延びる端壁４１とを有していて両者で周壁を形成している。該周壁は、コネクタ１のハウジング１０の受入凹部１５に適合した形状をなし、コネクタ嵌合時に該受入凹部１５内に上方から嵌入する被嵌合部として機能する。また、該周壁に囲まれ下方に開口した空間は、コネクタ嵌合時に嵌合凸部１４を下方から受け入れる対応受入凹部（図示せず）として形成されている。
【００４０】
上記ハウジング４０は、後述のグランド端子５０を保持するための端子保持溝が端壁に形成されている。図３に見られるように、グランド端子保持溝４２は、下方そして上記短手方向での外方に開口して端壁４１に形成されており、グランド端子５０が下方から圧入されるようになっている。該グランド端子保持溝４２内の上部には、上下方向に延びるとともに該グランド端子保持溝４２の対向内壁面同士を連結する端子保持壁４２Ａが形成されていて、該端子保持壁４２Ａがグランド端子５０の二つの腕部に挟圧されるようになっている。
【００４１】
上記長手方向に配列された複数の端子のうち、両端に位置する端子およびコネクタ１のグランド端子２０Ｂに対応して位置する端子は、グランド端子として機能する。以下、上記両端に位置するグランド端子を「グランド端子５０」として他のグランド端子と区別する（図３参照）。
【００４２】
グランド端子５０以外のグランド端子（図示せず）そして信号端子（図示せず）は、金属細条片をその板厚方向に屈曲して同形状に作られている。これらの端子は、ハウジング４０の側壁で該側壁との一体成形により上記長手方向で配列保持されている。
【００４３】
一方、グランド端子５０は、他のグランド端子や信号端子とは形状が異なっており、金属板の平坦な板面を維持したまま該金属板を略Ｕ字状に打ち抜いて作られている。該グランド端子５０は、図３に見られるように、上記グランド端子保持溝４２内の下部に位置する基部５１と、互いに並行して該基部５１から上方へ向けて延び上記端子保持壁４２Ａを挟圧する外側腕部５２および内側腕部５３とを有している。該外側腕部５２は、上記短手方向にて内側腕部５３よりも外方位置で該内側腕部５３よりも上方に及んでおり、ハウジング４０外に位置する上端で外方へ向けて延び、回路基板の対応回路部（グランド回路部）に半田接続するための接続部５２Ａが形成されている。また、上記基部５１は、コネクタ１のグランド腕部３１Ａと接触するための接触突部５１Ａが、該基部５１の外側縁から外方へ向けてグランド端子保持溝４２外に突出して形成されている。
【００４４】
以下、図３にもとづいて、コネクタ１と相手コネクタ４との嵌合動作について説明する。まず、コネクタ１の端子２０の接続部２１そしてシールド板３０のグランド脚部３１Ｃを回路基板の対応回路部そしてグランド回路部にそれぞれ半田接続して、該コネクタ１を回路基板に取り付ける。このとき、既述した幅狭グランド脚部３１Ｃ−２および該幅狭グランド脚部３１Ｃ−２を挟むように位置する二つのグランド端子２０Ｂは、同一の対応回路部（グランド回路部）に半田接続される。一方、相手コネクタ４の端子の接続部（グランド端子５０については接続部５２Ａ）を他の回路基板の対応回路部にそれぞれ半田接続して、該相手コネクタ４を上記他の回路基板に取り付ける。
【００４５】
次に、相手コネクタ４を、該相手コネクタ４の対応受入凹部が下方へ開口した姿勢でコネクタ１の上方に位置させる。そして、該相手コネクタ４を下方へ移動させて、該相手コネクタ４の被嵌合部としての周壁をコネクタ１の受入凹部１５内へ上方から進入させるとともに、該コネクタ１の嵌合凸部１４（図１参照）を相手コネクタ４の対応受入凹部内へ下方から進入させ、図３に示されるようなコネクタ嵌合状態とする。
【００４６】
コネクタ嵌合状態では、コネクタ１の端子２０の接触部２２（図１参照）が相手コネクタ４の端子の対応接触部と弾性接触する。また、相手コネクタ４のグランド端子５０の接触突部５１Ａが、コネクタ１のシールド板３０のグランド腕部３１Ａをコネクタ１の短手方向で外方へ向けて弾性変位させて、該グランド腕部３１Ａと接触する。この結果、コネクタ１と相手コネクタ４とが電気的に接続される。
【００４７】
本実施形態では、シールド板３０の係止部３１Ｂが上記側板部３１の下縁部で下方へ開口する係止溝として形成されていたが、係止部の形状はこれに限られず、例えば、側板部の下縁部から下方へ延出する突片として形成されていてもよい。このように係止部を突片とする場合には、ハウジングの被係止部は、例えば、係止部が上方から圧入される溝部あるいは孔部として形成する必要がある。
【００４８】
本実施形形態では、シールド板３０の係止部３１Ｂを側板部３１に形成することとしたが、係止部の位置はこれに限られず、例えば、側板部に代えてあるいは側板部に加えて、シールド板の端板部に係止部を形成してもよい。また、互いに対向する端板部の側縁（上下方向に延びる縁部）に突起状の係止部を形成してもよい。このような突起状の係止部を端板部の側縁に設ける場合には、ハウジングの端壁面で該側縁同士間と対応する位置に該端壁面から突出する被係止部としての突部を設けて、該被係止部に対して上記突起状の係止部が係止するようにする必要がある。
【００４９】
本実施形態では、端板部３２は、側板部３１の両端位置で該側板部３１に対して屈曲形成されていて、側板部３１と相俟って、上方から見て略Ｕ字状の平面形状をなし、ハウジング１０の端壁面１２Ａの中間位置で自由端を有していることとしたが、端板部の形状はこれに限られない。端板部は、例えば、側板部の一端位置で該側板部に対して屈曲形成されていて、側板部と相俟って、上方から見て略Ｌ字状の平面形状をなし、ハウジングの端壁部と側壁部の境界位置で自由端を有していることとしてもよい。
【符号の説明】
【００５０】
１  コネクタ                            ３０  シールド板
１０  ハウジング                        ３１  側板部
１１Ａ  側壁面                          ３１Ｂ  係止部
１２Ａ  端壁面                          ３２  端板部
１５  受入凹部                          ３３  連結部
１９  被係止部
【図１】
0005827574.tif 000002
【図２】
0005827574.tif 000003
【図３】
0005827574.tif 000004